(57)【要約】【課題】スライドショー機能の実行中に、再生対象となる画像の範囲を間断なく可変設定する。【解決手段】表示部42と、画像データを複数記憶した画像メモリ34と、記憶された複数の画像データに関し、各画像データが有する属性情報に基づいて複数のカテゴリを設定し、設定したカテゴリ中の任意の１つに対応する画像データをスライドショー方式で上記表示部により再生して表示させ、表示中に他のカテゴリへの切換えの指示を受け付け、受け付けた他のカテゴリに対応する画像データを用い、表示部42でのスライドショー方式の表示を継続して実行させるＣＰＵ31とを備える。【選択図】図１
2014239329.tif 000002
【特許請求の範囲】
【請求項１】
記憶媒体に記憶された複数の画像データに対して複数のカテゴリを設定するカテゴリ設定手段と、
上記カテゴリ設定手段で設定したカテゴリ中の任意の１つに対応する画像データをスライドショー方式で再生して表示させる再生手段と、
上記再生手段によるスライドショー方式での表示中に他のカテゴリへの切換えの指示を受け付ける切換指示手段と、
上記切換指示手段で切換えの指示を受け付けた他のカテゴリに対応する画像データを用い、上記再生手段でのスライドショー方式の表示を継続して実行させる再生制御手段と
を具備したことを特徴とする画像再生装置。
【請求項２】
表示部と、
画像データを複数記憶した記憶媒体と、
上記記憶媒体に記憶された複数の画像データに対し、各画像データが有する属性情報に基づいて複数のカテゴリを設定するカテゴリ設定手段と、
上記カテゴリ設定手段で設定したカテゴリ中の任意の１つに対応する画像データをスライドショー方式で上記表示部により再生して表示させる再生手段と、
上記再生手段によるスライドショー方式での表示中に他のカテゴリへの切換えの指示を受け付ける切換指示手段と、
上記切換指示手段で切換えの指示を受け付けた他のカテゴリに対応する画像データを用い、上記表示部でのスライドショー方式の表示を継続して実行させる再生制御手段と
を具備したことを特徴とする画像再生装置。
【請求項３】
上記属性情報は、画像データが上記記憶媒体中で属するフォルダの情報であり、
上記カテゴリ設定手段は、各画像データが有するフォルダの情報に基づいて複数のカテゴリを設定することを特徴とする請求項１または２記載の画像再生装置。
【請求項４】
上記属性情報は、画像データが有するメータデータ中の撮影シーンプログラム情報であり、
上記カテゴリ設定手段は、各画像データが有する撮影シーンプログラム情報に基づいて複数のカテゴリを設定することを特徴とする請求項１または２記載の画像再生装置。
【請求項５】
上記カテゴリ設定手段は、当該カテゴリに含まれる画像数と再生開始番号を含むリスト情報を作成し、
上記再生手段により、上記カテゴリ設定手段で設定したカテゴリに対応する画像データをスライドショー方式で再生して表示させている際、上記切換指示手段により他のカテゴリへ切換えた後に、上記特定したカテゴリに再度切換えた際は、上記再生手段は上記リスト情報を参照して、上記開始番号に対応する画像データをスライドショー方式での再生を再開させる
ことを特徴とする請求項１または２記載の画像再生装置。
【請求項６】
上記記憶媒体は複数の記憶デバイスから構成され、
上記属性情報は、画像データが記憶されている記憶デバイスの情報であり、
上記カテゴリ設定手段は、各画像データが記憶されている記憶デバイスの情報に基づいて複数のカテゴリを設定することを特徴とする請求項１または２記載の画像再生装置。
【請求項７】
上記再生手段は、再生を行なう画面中を第１の方向に沿って移動するように連続して複数の画像データをスライドショー方式で再生して表示させ、
上記切換指示手段は、上記第１の方向と交差する第２の方向に従った操作で他のカテゴリへの切換えの指示を受け付ける
ことを特徴とする請求項１乃至６いずれか記載の画像再生装置。
【請求項８】
上記再生手段は、再生を行なう画面に対する第１の方向に従った操作がなされた場合にその時点のカテゴリ内で再生して表示する画像データの送り及び戻しの少なくとも一方を行ない、
上記切換指示手段は、上記第１の方向と交差する第２の方向に沿った操作で他のカテゴリへの切換えの指示を受け付ける
ことを特徴とする請求項１乃至６いずれか記載の画像再生装置。
【請求項９】
上記再生を行なう画面と一体化されたタッチ入力部をさらに具備し、
上記第１及び第２の方向に従った操作は、上記画面に対する上記タッチ入力部でのフリック操作である
ことを特徴とする請求項７または８記載の画像再生装置。
【請求項１０】
上記再生手段は、スライドショー方式で上記画面全面に画像データを再生して表示させ、
上記再生制御手段は、切換指示手段での切換えの候補となる他のカテゴリに対応する画像データを、それまでのカテゴリに対応する画像データ中に嵌め込んで双方のスライドショー方式の表示を実行させる
ことを特徴とする請求項１乃至９いずれか記載の画像再生装置。
【請求項１１】
画像再生装置が内蔵したコンピュータが、
記憶媒体に記憶された複数の画像データに対し、各画像データに複数のカテゴリを設定するカテゴリ設定工程と、
上記カテゴリ設定工程で設定したカテゴリ中の任意の１つに対応する画像データをスライドショー方式で上記表示部により再生して表示させる再生工程と、
上記再生工程によるスライドショー方式での表示中に他のカテゴリへの切換えの指示を受け付ける切換指示工程と、
上記切換指示工程で切換えの指示を受け付けた他のカテゴリに対応する画像データを用い、上記表示部でスライドショー方式の表示を継続して実行させる再生制御工程と
を実行することを特徴とする画像再生方法。
【請求項１２】
表示部と画像データを複数記憶した記憶媒体とを備えた装置での画像表示方法であって、
上記記憶媒体に記憶された複数の画像データに関し、各画像データが有する属性情報に基づいて複数のカテゴリを設定するカテゴリ設定工程と、
上記カテゴリ設定工程で設定したカテゴリ中の任意の１つに対応する画像データをスライドショー方式で上記表示部により再生して表示させる再生工程と、
上記再生工程によるスライドショー方式での表示中に他のカテゴリへの切換えの指示を受け付ける切換指示工程と、
上記切換指示工程で切換えの指示を受け付けた他のカテゴリに対応する画像データを用い、上記表示部でスライドショー方式の表示を継続して実行させる再生制御工程と
を有したことを特徴とする画像表示方法。
【請求項１３】
コンピュータを、
記憶媒体に記憶された複数の画像データに対して複数のカテゴリを設定するカテゴリ設定手段、
上記カテゴリ設定手段で設定したカテゴリ中の任意の１つに対応する画像データをスライドショー方式で再生して表示させる再生手段、
上記再生手段によるスライドショー方式での表示中に他のカテゴリへの切換えの指示を受け付ける切換指示手段、及び
上記切換指示手段で切換えの指示を受け付けた他のカテゴリに対応する画像データを用い、上記再生手段でのスライドショー方式の表示を継続して実行させる再生制御手段
として機能させることを特徴とするプログラム。
【請求項１４】
表示部と画像データを複数記憶した記憶媒体とを備えた装置が内蔵したコンピュータが実行するプログラムであって、
上記コンピュータを、
上記記憶媒体に記憶された複数の画像データに関し、各画像データが有する属性情報に基づいて複数のカテゴリを設定するカテゴリ設定手段、
上記カテゴリ設定手段で設定したカテゴリ中の任意の１つに対応する画像データをスライドショー方式で上記表示部により再生して表示させる再生手段、
上記再生手段によるスライドショー方式での表示中に他のカテゴリへの切換えの指示を受け付ける切換指示手段、及び
上記切換指示手段で切換えの指示を受け付けた他のカテゴリに対応する画像データを用い、上記表示部でスライドショー方式の表示を継続して実行させる再生制御手段
として機能させることを特徴とするプログラム。
【請求項１５】
画像データを複数記憶した記憶媒体を備えた第１の装置、及びこの第１の装置と無線接続され、表示部を備えた第２の装置を含む画像表示システムであって、
上記第１の装置は、
上記記憶媒体に記憶された複数の画像データに関し、各画像データが有する属性情報に基づいて複数のカテゴリを設定するカテゴリ設定手段と、
上記カテゴリ設定手段で設定したカテゴリ中の任意の１つに対応する画像データをスライドショー方式で上記第２の装置に送信し、上記表示部で再生して表示させる送信手段と、
上記第２の装置でスライドショー方式での表示中に他のカテゴリへの切換えの指示を受け付ける切換指示手段と、
上記切換指示手段で切換えの指示を受け付けた他のカテゴリに対応する画像データを用い、上記送信手段で上記第２の装置に送信してスライドショー方式の表示を継続して実行させる送信制御手段と
をさらに備えることを特徴とする画像表示システム。
【請求項１６】
上記第２の装置は、表示部と一体化されたタッチ入力部をさらに備えた、腕に装着可能なリスト端末であり、
上記切換指示手段は、上記第２の装置でのタッチ入力部によるフリック操作を他のカテゴリへの切換えの指示として受け付ける
ことを特徴とする請求項１５記載の画像表示システム。
【発明の詳細な説明】
【技術分野】
【０００１】
本発明は、スライドショー形式で画像を再生して表示する画像再生装置、画像表示方法、プログラム及び画像表示システムに関する。
【背景技術】
【０００２】
従来から、デジタルカメラやタブレットＰＣ、デジタルフォトフレーム等の画像表示装置において、記憶媒体に記憶されている複数の画像データを連続して再生するスライドショー機能が一般的に存在する。このスライドショー機能は、記憶媒体に記憶されている全画像、あるいは指定したフォルダ内の画像を予め設定した順序、あるいはランダムに順次表示していくもので、１画像当たりの表示時間等は任意に指定することができる。その際、顔の映っている画像だけを抽出して表示させる機能も知られている。
【０００３】
さらに、スライドショーの際に類似性の高い大量の画像がある場合、それらの画像をすべて再生するといたずらに時間がかかるおそれがある。そのため、類似性の高い画像同士をグループに分類し、そのグループの中から重要な画像を選択して再生時間、再生順序を決定し、重要な画像のみを決定した内容にしたがって適切な時間だけ再生する技術も提案されている。（例えば、特許文献１）
また、記憶媒体内のフォルダ構造が、一般的なＤＣＦ（Ｄｅｓｉｇｎ  ｒｕｌｅ  ｆｏｒ  Ｃａｍｅｒａ  Ｆｉｌｅ  ｓｙｓｔｅｍ）規格に準拠していない階層構造となっている場合にも、ＤＣＦ規格に準拠した画像と同様にスライドショー機能で表示可能とした技術も提案されている。（例えば、特許文献２）
【先行技術文献】
【特許文献】
【０００４】
【特許文献１】特開２０１１−００９９７６号公報
【特許文献２】再公表特許ＷＯ２００７／０５５３３４号公報
【発明の概要】
【発明が解決しようとする課題】
【０００５】
上記各特許文献に記載されている技術も含め、いずれにおいてもスライドショー機能を有する画像表示装置では、スライドショーの機能を実行する前に、記憶媒体内の画像から再生対象の範囲を予め決めておく必要があった。
【０００６】
本発明は上記のような実情に鑑みてなされたもので、その目的とするところは、スライドショー機能の実行中に、再生する対象となる画像の範囲を間断なく可変することが可能な画像再生装置、画像表示方法、プログラム及び画像表示システムを提供することにある。
【課題を解決するための手段】
【０００７】
本発明の一態様は、記憶媒体に記憶された複数の画像データに対して複数のカテゴリを設定するカテゴリ設定手段と、上記カテゴリ設定手段で設定したカテゴリ中の任意の１つに対応する画像データをスライドショー方式で再生して表示させる再生手段と、上記再生手段によるスライドショー方式での表示中に他のカテゴリへの切換えの指示を受け付ける切換指示手段と、上記切換指示手段で切換えの指示を受け付けた他のカテゴリに対応する画像データを用い、上記再生手段でのスライドショー方式の表示を継続して実行させる再生制御手段とを具備したことを特徴とする。
【発明の効果】
【０００８】
本発明によれば、スライドショー機能の実行中に、再生する対象となる画像の範囲を間断なく可変することが可能となる。
【図面の簡単な説明】
【０００９】
【図１】本発明の一実施形態に係る画像表示システムの構成を示す図。
【図２】同実施形態に係るスマートフォンの電子回路の機能構成を示すブロック図。
【図３】同実施形態に係る画像メモリに格納される画像データ用の複数のフォルダを示す図。
【図４】同実施形態に係る撮影シーンプログラムの内容の一例を示す図。
【図５】同実施形態に係る第１の動作例でのスライドショー機能の処理内容を示すフローチャート。
【図６】同実施形態に係る図５のカテゴリ毎のリスト情報作成の詳細な処理内容を示すサブルーチンのフローチャート。
【図７】同実施形態に係る作成されたカテゴリ毎のリスト情報を例示する図。
【図８】同実施形態に係る作成された再生カテゴリリストを例示する図。
【図９】同実施形態に係るカテゴリの変更に係る表示状態を例示する図。
【図１０】同実施形態に係るカテゴリの変更に係る表示状態を例示する図。
【図１１】同実施形態に係るカテゴリの変更に係る表示画像の遷移状態を例示する図。
【図１２】同実施形態に係る第２の動作例でのリスト端末の表示入力部でのフリック操作を示す図。
【図１３】同実施形態に係るフリック操作に応じた画像の切換え処理のサブルーチンを示すフローチャート。
【図１４】同実施形態に係るフリック操作に伴う表示画像の遷移状態を例示する図。
【発明を実施するための形態】
【００１０】
以下、本発明をスマートフォンと腕に装着可能な腕時計型のリスト端末（以下単に「リスト端末」と称する）とによる画像表示システムに適用した場合の一実施形態について図面を参照して説明する。  
図１は、同システムの構成を示すもので、１０はスマートフォンである。このスマートフォン１０は、第４世代携帯電話システム及び無線ＬＡＮ規格であるＩＥＥＥ８０２．１１ａ／ｂ／ｇ／ｎ技術に準拠して、図示しない最寄りの基地局やＷｉ−Ｆｉ（登録商標）のアクセスポイント等を介して、インターネットを含むネットワークＮと無線接続される一方で、近距離無線通信規格であるＢｌｕｅｔｏｏｔｈ（登録商標）技術によりリスト端末２０と無線接続される。
【００１１】
スマートフォン１０は、薄板状筐体の前面のほぼ殆どを用いた、対角が約５インチ程の大きさの、表示部とタッチ入力部とを兼ねた表示入力部１０Ａを有している。この表示入力部１０Ａにおいて、画像等を表示すると共に、表面へのタップ（軽く叩く）操作、フリック（はじく）操作、ピンチ（つまむ）操作など手指をタッチしての各種指示操作が可能となる。  
一方のリスト端末２０も、対角が約１．５インチ程の大きさの矩形の表示入力部２０Ａを有し、時刻等の計時情報に限らず、画像等を表示すると共に、上記手指をタッチしての各種指示操作が可能となる。
【００１２】
図２は、上記スマートフォン１０内の電子回路の機能構成を示すブロック図である。同図で、３１がこのスマートフォン１０全体の制御動作を司るＣＰＵである。このＣＰＵ３１に対して、バスラインＳＢを介して、プログラムメモリ３２、ワークメモリ３３、画像メモリ３４、撮像制御部３５、表示制御部３６、入力制御部３７、通信インタフェース（Ｉ／Ｆ）３８、ブルートゥース（登録商標）インタフェース（Ｉ／Ｆ）３９、及び外部デバイスインタフェース４０と接続される。
【００１３】
プログラムメモリ３２は、例えばフラッシュメモリ（登録商標）等の不揮発性メモリで構成され、上記ＣＰＵ３１が動作するためのＯＳ及びアプリケーションプログラム、固定データ等を記憶する。
【００１４】
ワークメモリ３３は、例えばＤＲＡＭで構成され、上記ＣＰＵ３１のメインメモリとして機能する。
【００１５】
画像メモリ３４は、図３に示すように複数のフォルダＦ１１，Ｆ１２，…が設定され、それぞれのフォルダに複数の画像データを格納している。フォルダ内に格納された個々の画像データは、例えばＥｘｉｆ（Ｅｘｃｈａｎｇｅａｂｌｅ  ｉｍａｇｅ  ｆｉｌｅ  ｆｏｒｍａｔ）規格に則ってメタデータを含んでいる。
【００１６】
メタデータとしては、例えば、撮影日時、撮影機器のメーカ名、撮影機器の機種名、画像全体の画像サイズ、水平／垂直方向の単位当たりの解像度、撮影方向、シャッタ速度、絞り(Ｆ)値、ＩＳＯ感度、測光モード、フラッシュの有無、露光補正ステップ数、焦点距離、色空間(カラースペース)、ＧＰＳ情報(ＧＰＳ機能対応機種のみ)、サムネイル（１６０×１２０画素）、及び撮影シーンプログラムモード情報を含む。上記撮影シーンプログラム情報は、撮影機器の機種毎に異なる、予め撮影条件が設定されたプログラム撮影を識別するための情報である。
【００１７】
図４は、ある撮影機器の機種における、上記撮影シーンプログラムの内容の一例を示す図である。この機種では、例えばシーンプログラム名「人物」「風景撮影」「人物＋風景撮影」‥‥毎に、撮影条件のパラメータとして「色強調」「シャープネス」「彩度」「ホワイトバランス」「フィルタ」の項目のうち、必要なものが設定されているものとする。
【００１８】
上記撮像制御部３５は、レンズ光学系と例えばＣＭＯＳイメージセンサ等の固体撮像素子とで構成される撮像部４１での撮影動作を制御し、撮影により得られる画像信号をデジタル化、及びデータ圧縮を伴うデータファイル化した上で上記画像メモリ３４に記憶させる。
【００１９】
上記表示制御部３６は、上記表示入力部１０Ａを構成する表示部４２を駆動して画像等を表示させる。表示部４２は、バックライト付きのカラー液晶パネルとその駆動回路とで構成される。この表示部４２に対して、透明電極膜を用いたタッチパネル部４３が一体に構成され、上記表示入力部１０Ａを構成する。上記入力制御部３７は、タッチパネル部４３がユーザのタッチ操作に応じて出力する、時系列の座標信号をデジタル化して操作信号として上記ＣＰＵ３１へ送出する。
【００２０】
上記通信インタフェース３８は、アンテナ４４，４５を用いて上述した第４世代携帯電話システム及びＩＥＥＥ８０２．１１ａ／ｂ／ｇ／ｎに基づいて上記ネットワークＮとの間での無線通信を行なう。
【００２１】
上記ブルートゥースインタフェース３９は、アンテナ４６を介して、上記リスト端末２０などのように予めペアリング設定を行なっている他のブルートゥース対応機器と近距離（クラス２：１０ｍ以内／クラス３：１ｍ以内）で無線通信を行なう。
【００２２】
上記外部デバイスインタフェース４０は、マイクロＵＳＢ端子４７及びメモリカードスロット４８を介して、例えば外付けハードディスク装置やＵＳＢメモリ、メモリカード等から画像データなどを直接スマートフォン１０側に入力できる。
【００２３】
また上記リスト端末２０の電子回路の機能構成に関しては、回路規模や各種機能容量の相違はあるが、上記図２に示した内容から撮像制御部３５及び撮像部４１、通信インタフェース３８及びアンテナ４４，４５、外部デバイスインタフェース４０、マイクロＵＳＢ端子４７、メモリカードスロット４８を除いたものと同様であるので、その図示及び説明は省略する。
【００２４】
（第１の動作例）  
まずスマートフォン１０単体でスライドショー機能を実行する場合を第１の動作例として説明する。  
図５及び図６は、スマートフォン１０のＣＰＵ３１がプログラムメモリ３２に記憶された動作プログラムを読出してワークメモリ３３に展開した上で実行する、スライドショー機能の処理内容を示すフローチャートである。
【００２５】
同機能の開始時、ＣＰＵ３１は画像メモリ３４、マイクロＵＳＢ端子４７に接続されている外部機器、及びメモリカードスロット４８に装着されているメモリカードから表示対象となる画像データを検索した上で、カテゴリ毎のリスト情報を作成する（ステップＳ１０１）。
【００２６】
図６は、このステップＳ１０１で実行するリスト情報の作成の詳細な処理内容を示すサブルーチンのフローチャートである。その処理当初にＣＰＵ３１は、予め設定されているすべてのカテゴリを読出した上で（ステップＳ３０１）、その中から１つを選択する（ステップＳ３０２）。
【００２７】
ここでカテゴリとしては、例えばメタデータ中の撮影日時に基づく日付及び時間帯（「○月○日」「朝」「夕方」など）、画像から自動判別できるイベント（「顔」「風景」「建物」「特定の色」など）、上記図３で示した元のフォルダ毎の分類、画像フォーマットによる分類（「静止画」「動画」「タイムラプス撮影画像」など）、シーンプログラム名またはシーンプログラム番号（「人物撮影」、「花」、「夜景」等）等が挙げられる。
【００２８】
さらにカテゴリとしては、画像データが記憶されている記憶媒体、及びその記憶媒体内でのフォルダをそのまま活用したカテゴリも作成する。
【００２９】
次にＣＰＵ３１は、上記全画像データ中から１つを設定し（ステップＳ３０３）、選択した画像データが当該カテゴリに該当するか否かを判断する（ステップＳ３０４）。
【００３０】
ここで選択した画像データが、その時点で選択しているカテゴリに該当すると判断した場合には、その画像データの所在を示すフォルダ名とファイル名とを当該カテゴリのリストに登録する（ステップＳ３０５）。
【００３１】
その後にＣＰＵ３１は、当該カテゴリに関してすべての画像データの検索が終了したか否かを判断し（ステップＳ３０６）、そうではないと判断すると、再び上記ステップＳ３０３からの処理に戻る。
【００３２】
こうしてステップＳ３０３〜ステップＳ３０６の処理を全画像データの数だけ繰返し実行することで、ＣＰＵ３１は当該カテゴリに該当する画像データのリスト登録を実行する。
【００３３】
その後、当該カテゴリに該当する画像データのリスト登録を終えると、ＣＰＵ３１は全画像データの検索が終了したことを上記ステップＳ３０６で判断し、すべてのカテゴリ種に関しての検索を終えたか否かを判断する（ステップＳ３０７）。
【００３４】
ここですべてのカテゴリに関しての検索を終えていないと判断すると、ＣＰＵ３１は再び上記ステップＳ３０２からの処理に戻り、あらたなカテゴリを１つ選択した上で、上記と同様の処理を実行する。
【００３５】
こうしてすべてのカテゴリ種に関してそれぞれリスト登録を終えると、ＣＰＵ３１は全カテゴリ種の検索が終了したことを上記ステップＳ３０７で判断し、各カテゴリのリスト毎に設けられている開始番号の初期化として、各リストの先頭に位置する画像データの番号を設定する（ステップＳ３０８）。
【００３６】
さらにＣＰＵ３１は、カテゴリの再生順序を設定する再生カテゴリリストを初期化し（ステップＳ３０９）、以上でこの図６のサブルーチンを一旦終了して、上記図５の処理に戻る。
【００３７】
図７は、上記図６のサブルーチンにより作成されたカテゴリ毎のリスト情報を例示する図である。ここでは「カテゴリ１」〜「カテゴリＭ（Ｍ：２以上の自然数）」の計Ｍ個のカテゴリに関するリスト情報が作成された状態を示す。１つのリスト情報は、「画像数」と「開始番号」の各情報に加えて、各画像データのフォルダ名／ファイル名が組み合わせて構成される。
【００３８】
「画像数」は、当該カテゴリに登録された画像データの数を示す。  
「開始番号」は、そのカテゴリの画像データをスライドショー機能により表示されている途中で他のカテゴリの画像の表示に移行した場合に、その時点で表示していた画像データの番号を示す。スライドショー機能時にはこの「開始番号」の情報を保持しておくことで、再度そのカテゴリが選択された場合に、再びリスト情報の先頭に位置する画像から表示を開始するのではなく、以前に表示していた画像から表示を開始することができる。上記ステップＳ３０８の処理により、「開始番号」の初期値はリストの先頭の画像データを示す数値「１」が設定される。
【００３９】
フォルダ名「１００Ｃ○○○」「１０１Ｃ○○○」「２００Ｃ○○○」‥‥は、Ｅｘｉｆ規格に則って記憶媒体に設定される。  
ファイル名「ＣＩＭＧ０ｘｘｘ」は、Ｅｘｉｆ規格に則って上記フォルダ内にシリアル番号を付与して設定される。
【００４０】
図８は、上記ステップＳ３０９で初期化した再生カテゴリリストの例を示す。ここで最上位に設定された「カテゴリ２」と、最上位に設定された「カテゴリ１」は、カテゴリ移動に際しては循環的に接続されているものとして取扱う。例えば最上位の「カテゴリ２」の画像が表示されている状態でさらに上方へのカテゴリ移動が指示された場合には、最下位の「カテゴリ１」の画像が代わって表示される。同様に、最下位の「カテゴリ１」の画像が表示されている状態でさらに下方へのカテゴリ移動が指示された場合には、最上位の「カテゴリ２」の画像が代わって表示される。
【００４１】
メインルーチンの図５では、上記カテゴリ毎のリスト情報を作成後、ＣＰＵ３１は初期化した上記再生カテゴリリストの情報を取得した上で（ステップＳ１０２）、そのカテゴリリストの最上位に挙げられているカテゴリのリスト情報に基づいたスライドショー再生を開始する（ステップＳ１０３）。
【００４２】
このスライドショーの実行に際し、ＣＰＵ３１は予め設定された時間に従って順次表示する画像を切り換える毎に、リスト情報内の「開始番号」の情報を切り換えた画像を示すように更新設定する（ステップＳ１０４）。
【００４３】
また画像の切換え時には、例えば前の画像の右側から次の画像が現れて左側に移動し、前の画像上に重なるようなワイプ表示を行なうことにより、同一カテゴリの画像が横横に並んでいるような空間の概念を自然にユーザに与えることができる。
【００４４】
さらにＣＰＵ３１は、上記表示入力部１０Ａのタッチパネル部４３から入力制御部３７を介して上下方向のフリック操作による入力があったか否かにより、カテゴリの変更が指示されたか否かを判断する（ステップＳ１０５）。
【００４５】
ここでカテゴリの変更が指示されたと判断した場合には、上記図８に示した再生カテゴリリストの情報の更新登録により、先頭に位置するカテゴリの情報を書き換えた上で（ステップＳ１０６）、上記ステップＳ１０３からの処理に戻り、あらたに変更されたカテゴリでのスライドショー再生を開始する。
【００４６】
図９は、このカテゴリの変更に係る表示状態を例示する図である。  
図９（Ａ）に示す画像を表示している状態で、表示入力部１０Ａの画面を例えば上から下の方向にフリック操作した場合、図９（Ｂ）に示すようにそれまで表示していたカテゴリを含めて、上下のカテゴリが小画面化してマルチスクリーン表示され、且つそれぞれのカテゴリでスライドショー再生が実行される。図９（Ｂ）では、スマートフォン１０の画面全体でも表示しているそれまでのカテゴリの小画面が、上記上から下への操作に応じて、中央より１つ下側に表示されると共に、その時点で画面全体で表示していることを示すように、他の小画面とは異なる色のフレーム（図ではハッチングで示す）で表示される。
【００４７】
このようなマルチスクリーン表示は、図１０に示すように画面では表示されていない範囲も含めて、再生カテゴリリストを構成するカテゴリの数分だけ用意されているようにその表示内容を制御するもので、さらなる上下いずれかの方向のフリック操作により、図中に矢印ＣＡで示すように、スマートフォン１０で表示する小画面を回転移動するように表示制御を行なう。
【００４８】
こうしてカテゴリの変更が指示された場合、指示があってから一定時間、例えば１［秒］経過してもさらなる指示操作がなされない場合、その時点で小画面中の中央に位置するカテゴリが選択されたものとして、再生カテゴリリストの情報を書き換える。
【００４９】
また、上記図９（Ｂ）に示した表示画面の状態から、マルチスクリーン表示中の任意の小画面がタップ操作された場合には、その画面に対応するカテゴリを選択したものとして、ＣＰＵ３１が再生カテゴリリストの情報を書き換えるようにしてもよい。
【００５０】
また上記ステップＳ１０５でカテゴリを変更する指示操作がなされていないと判断した場合、ＣＰＵ３１は次いで当該スライドショー機能の終了を指示する操作がなされたか否かを判断する（ステップＳ１０７）。
【００５１】
ここで当該スライドショー機能の終了を指示する操作がなされていないと判断した場合、ＣＰＵ３１はさらにカテゴリリスト情報内の「開始番号」が「画像数」と等しく、且つ当該画像の表示を所定時間だけ行なったか否かにより、その時点で選択しているカテゴリ内の再生を終了したか否かを判断する（ステップＳ１０８）。
【００５２】
その時点で選択しているカテゴリ内の再生をまだ終了していないと判断した場合、ＣＰＵ３１はそのままそのカテゴリでのスライドショー再生を継続するべく上記ステップＳ１０３からの処理に戻る。
【００５３】
また上記ステップＳ１０８でその時点で選択しているカテゴリ内の再生を終了したと判断した場合、ＣＰＵ３１は再生カテゴリリストの情報の更新登録により、最上位に位置するカテゴリを最下位とし、それ以外のカテゴリはそれぞれ１段上位に移動するよう再生カテゴリリストの情報を書き換えた上で（ステップＳ１０９）、上記ステップＳ１０３からの処理に戻り、次のカテゴリでのスライドショー再生を開始する。
【００５４】
図１１は、スライドショー機能による画像再生時のカテゴリ変更に伴う表示画像の遷移状態を例示する図である。例えば、始めに「カテゴリ１」の画像を順次再生している過程で、下方向へのフリック操作により表示対象が「カテゴリ２」に変更されて、「カテゴリ２」に属する画像を順次再生するものとなる。
【００５５】
さらに「カテゴリ２」の画像を順次再生している過程で、再び下方向へのフリック操作されると、表示対象が「カテゴリ３」に変更されて、「カテゴリ３」に属する画像の順次再生が開始される。  
上記のようなスライドショー機能での直感的、且つ簡易な操作性を実現することで、再生の対象となる画像のカテゴリを間断なく可変設定することが可能となる。
【００５６】
なお上記動作例では、上下方向へのフリック操作によりスライドショーを行なうカテゴリを変更する場合について説明したが、上下方向のフリック操作と略直交する左右方向へのフリック操作により、その時点で選択して表示しているカテゴリ中の画像を早送り、及び巻き戻しして、任意の画像からスライドショーを開始させるように操作可能としても良い。
【００５７】
（第２の動作例）  
以下、スマートフォン１０とリスト端末２０を併用し、表示画像の早送り、巻き戻しを行なって、任意の画像からスライドショーを開始させるような操作性を実現した場合を第２の動作例として説明する。  
なお本動作例では、スマートフォン１０と近距離無線接続されたリスト端末２０を入力操作部及び表示部として、スマートフォン１０側のＣＰＵ３１がリスト端末２０でのフリック操作に基づいたカテゴリの画像を選択し、順次上記リスト端末２０に画像データを送信することで、リスト端末２０において対応する画像が表示されるものとする。
【００５８】
その場合、リスト端末２０の表示入力部２０Ａは表示容量が小さいため、上記図９、図１０でスマートフォン１０での表示として示したようなマルチスクリーン表示は行なわず、１つの画像データに基づいた表示を実行するものとする。
【００５９】
また実際にユーザがリスト端末２０を手首に装着し、反対側の手指でフリック操作を行なう場合、画面のＸ−Ｙ座標の各座標軸に沿って正しく縦方向または横方向に操作することは困難であり、少なからず斜めになったフリック操作となると思われる。
【００６０】
したがって本動作例では、縦（Ｙ）方向と横（Ｘ）方向の各操作移動量を比較し、より大きい方の操作移動量に基づいて、縦（Ｙ）方向の操作であるか、または横（Ｘ）方向の操作であるかをスマートフォン１０側のＣＰＵ３１が判断するものとする。
【００６１】
図１２は、リスト端末２０の表示入力部２０Ａに対するフリック操作について説明する。なおここでは表示入力部２０Ａが正方形であるものとし、説明のためにアナログ時計の表示に基づいて１２時方向、３時方向、６時方向、及び９時方向にそれぞれ対応する数字を表示した場合を例にとって説明するが、実際のスライドショー機能時にそれらの数字が表示されるものではない。
【００６２】
図１２（ａ）は、１２時方向から縦（Ｙ）方向に沿って下方向の６時方向にフリック操作する理想的な状態を例示する。しかしながら、実際の装着時には上述した如く斜めになった操作が行なわれると考えられるので、より縦（Ｙ）方向の操作移動量の方が大きく、且つ図１２（ｅ）に示すように、３時方向と９時方向とを結んだ横方向のラインＬ１を跨ぐような上から下へのフリック操作が行なわれた場合に、下方向へのフリック操作が行なわれたものと判断する。
【００６３】
同様に、図１２（ｂ）は、６時方向から縦（Ｙ）方向に沿って上方向の１２時方向にフリック操作する理想的な状態を例示する。しかしながら、実際の装着時には上述した如く斜めになった操作が行なわれると考えられるので、より縦（Ｙ）方向の操作移動量の方が大きく、且つ図１２（ｆ）に示すように、３時方向と９時方向とを結んだ横方向のラインＬ１を跨ぐような下から上へのフリック操作が行なわれた場合に、上方向へのフリック操作が行なわれたものと判断する。
【００６４】
また図１２（ｃ）は、９時方向から横（Ｘ）方向に沿って右方向の３時方向にフリック操作する理想的な状態を例示する。しかしながら、実際の装着時には上述した如く斜めになった操作が行なわれると考えられるので、より横（Ｘ）方向の操作移動量の方が大きく、且つ図１２（ｇ）に示すように、１２時方向と６時方向とを結んだ縦方向のラインＬ２を跨ぐような左から右へのフリック操作が行なわれた場合に、右方向へのフリック操作が行なわれたものと判断する。
【００６５】
同様に、図１２（ｄ）は、３時方向から横（Ｘ）方向に沿って左方向の９時方向にフリック操作する理想的な状態を例示する。しかしながら、実際の装着時には上述した如く斜めになった操作が行なわれると考えられるので、より横（Ｘ）方向の操作移動量の方が大きく、且つ図１２（ｈ）に示すように、１２時方向と６時方向とを結んだ縦方向のラインＬ２を跨ぐような右から左へのフリック操作が行なわれた場合に、左方向へのフリック操作が行なわれたものと判断する。
【００６６】
図１３は、スライドショー機能時にリスト端末２０からの操作信号を受け付けたスマートフォン１０のＣＰＵ３１が実行する、フリック操作に応じた画像の切換え処理のサブルーチンを示すフローチャートである。その当初にＣＰＵ３１は、その操作信号から縦（Ｙ方向）下側へのフリック操作を検出したか否かを判断する（ステップＳ５０１）。
【００６７】
ここで下側へのフリック操作を検出していないと判断した場合、ＣＰＵ３１は次に縦（Ｙ方向）上側へのフリック操作を検出したか否かを判断する（ステップＳ５０２）。
【００６８】
上記ステップＳ５０１で下側へのフリック操作を検出したと判断した場合、及び上記ステップＳ５０２で上側へのフリック操作を検出したと判断した場合、ＣＰＵ３１はその検出方向に応じて他のカテゴリの画像によるスライドショーを継続するべく、対応する画像データを記憶媒体から読出し、リスト端末２０に対して送信する。
【００６９】
また上記ステップＳ５０２で上側へのフリック操作も検出していないと判断した場合、ＣＰＵ３１はさらに横（Ｘ方向）左側へのフリック操作を検出したか否かを判断する（ステップＳ５０４）。
【００７０】
ここで左側へのフリック操作も検出していないと判断した場合、ＣＰＵ３１は次に横（Ｘ方向）右側へのフリック操作を検出したか否かを判断する（ステップＳ５０５）。
【００７１】
上記ステップＳ５０４で左側へのフリック操作を検出したと判断した場合、及び上記ステップＳ５０５で右側へのフリック操作を検出したと判断した場合、ＣＰＵ３１はその検出方向に応じて、当該カテゴリ内の画像を早送り（右側フリックの場合）または巻き戻し（左側フリックの場合）してスライドショーを継続するべく、対応する画像データを記憶媒体から読出し、リスト端末２０に対して送信する。
【００７２】
なお上記ステップＳ５０５で右側へのフリック操作も検出していないと判断した場合、いずれの方向へのフリック操作もなされていないと判断して、ＣＰＵ３１はこの図１３のサブルーチンを終了する。
【００７３】
図１４は、上記スライドショー機能での画像表示時にフリック操作でカテゴリ変更または画像の早送り／巻き戻しを行なう場合の、表示画像の遷移状態を例示する図である。
【００７４】
同図で、図１４（ｆ），（ｇ），（ａ），（ｈ），（ｉ）は「カテゴリ１」でのスライドショー機能の画像を示す。これらの画像は右フリック操作または左フリック操作により早送り、または巻き戻しての再生表示が実行できる。
【００７５】
また上記図１４（ａ）で「カテゴリ１」の画像「１−３」を表示している状態から、上フリック操作により、図１４（ｂ）に示すように「カテゴリＭ」の画像「Ｍ−１」に変更できる。
【００７６】
さらに上記図１４（ａ）の状態から、下フリック操作により、図１４（ｃ）に示すように「カテゴリ２」の画像「２−１」の画像に変更できる。そして、この図１４（ｃ）の状態から、さらなる下フリック操作により、図１４（ｄ）に示すように「カテゴリ３」の画像「３−１」に変更できる。
【００７７】
ここで右フリック操作または左フリック操作により、早送りで画像「３−２」、または巻き戻して画像「３−ｎ（ｎはカテゴリ３の最後の画像番号）」の再生表示が実行できる。
【００７８】
また上記図１４（ｄ）の状態から、再度の下フリック操作により、図１４（ｅ）に示すように「カテゴリ４」の画像「４−１」に変更できる。
【００７９】
このように、カテゴリの変更と早送り、巻き戻しを簡易なフリック操作で実現するものとしたので、より直感的な操作によってユーザが所望する画像を手早く検索することができ、当該画像からスライドショー機能による画像の再生を開始させることができる。
【００８０】
なお、上記実施形態においては、カテゴリの設定に際して、記憶媒体に記憶されている画像のフォルダの情報を活かしたカテゴリを含めるものとしたので、画像データが本来その記憶媒体に記憶されていたフォルダをそのままカテゴリ化することで、ユーザが画像を検索する際に画像の属するカテゴリを容易に把握できる。
【００８１】
また上記実施形態において、カテゴリを設定する一要素として、メタデータ中の撮影シーンプログラムの情報を用いるものとしたため、被写体の傾向が同等となり、カテゴリの分類としてきわめて理解し易い画像を自動的に設定できる。
【００８２】
さらに上記実施形態では、画像データが記憶されていた記憶媒体そのものをカテゴリとしても作成するものとしたので、上記フォルダ情報を用いる場合と同様に、ユーザが画像を検索する際にその画像の属するカテゴリを容易に把握できる。
【００８３】
また上記実施形態では、スライドショー機能で画像が切り替わる方向をワイプ表示により強調して表示することで、概念的な画像データの並び方向をユーザに提示し、それと直交する方向への操作によりカテゴリを変更できるものとしたため、きわめて自然にカテゴリの変更を行なうための操作体系が実現できる。
【００８４】
さらに上記実施形態では、スライドショー機能で画像が切り替わる方向をワイプ表示により強調して表示することで、概念的な画像データの並び方向をユーザに提示し、それに沿った方向への操作により画像の早送り、巻き戻しを行なうことができるものとしたため、きわめて自然に同一カテゴリ内での画像の切換えのための操作体系が実現できる。
【００８５】
加えて上記実施形態では、スマートフォン１０、リスト端末２０共にタッチパネル式の表示部を有するものとし、表示されている画像に対しての直接的な操作を受け付けるものとしたため、より直感的な操作によりカテゴリの変更、画像の切換えが実現できる。
【００８６】
なお、上記図９、図１０で説明した如く、カテゴリの変更に際しては、表示容量がある程度大きい場合に、それまで表示していたカテゴリの画像を画面全面で表示しながら、且つ複数の小画面によるマルチスクリーン表示で隣接するカテゴリの各画像を併せて表示することにより、カテゴリ間の配置関係を把握し易く、所望する画像が属するカテゴリを迅速に検索できる。
【００８７】
また上記実施形態では、スマートフォン１０とリスト端末２０とにより、画像の表示及び操作を行なうリスト端末２０と、画像の記憶及び全般の制御動作を行なうスマートフォン１０とのシステム構成を実現したので、それぞれの機能を分割してより効率的にスライドショー機能による画像表示とカテゴリの変更、及び所望する画像の検索が実現できる。
【００８８】
加えて上記実施形態では、近年実用化が進んでいるリスト端末２０を画像の表示及び操作を行なう装置として用いることで、より手軽な操作環境が実現できる。
【００８９】
さらに、リスト端末２０の表示入力部２０Ａは表示容量が小さいため、１つの画像データに基づいた表示を実行するものとしたが、リスト端末においても、例えば上下にカテゴリを表示してもよく、そうすれば選択方向がユーザにより分かりやすくなる。
【００９０】
また、スライドショーを表示する表示部や、スライドショー表示対象画像は、装置内部に無くても、装置に着脱可能であったり、ネットワーク等を経由して接続され物理的に離れた場所にあってもよい。
【００９１】
なお本発明はスマートフォンやリスト端末に限らず、画像データを取扱う電子機器、例えばデジタルカメラや各種パーソナルコンピュータ、携帯電話機、携帯音楽プレーヤ、携帯ゲーム機など、いずれにも適用可能であることは勿論である。
【００９２】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００９３】
以下に、本願出願の当初の特許請求の範囲に記載された発明を付記する。  
請求項１記載の発明は、記憶媒体に記憶された複数の画像データに対して複数のカテゴリを設定するカテゴリ設定手段と、上記カテゴリ設定手段で設定したカテゴリ中の任意の１つに対応する画像データをスライドショー方式で再生して表示させる再生手段と、上記再生手段によるスライドショー方式での表示中に他のカテゴリへの切換えの指示を受け付ける切換指示手段と、上記切換指示手段で切換えの指示を受け付けた他のカテゴリに対応する画像データを用い、上記再生手段でのスライドショー方式の表示を継続して実行させる再生制御手段とを具備したことを特徴とする。
【００９４】
請求項２記載の発明は、表示部と、画像データを複数記憶した記憶媒体と、上記記憶媒体に記憶された複数の画像データに対し、各画像データが有する属性情報に基づいて複数のカテゴリを設定するカテゴリ設定手段と、上記カテゴリ設定手段で設定したカテゴリ中の任意の１つに対応する画像データをスライドショー方式で上記表示部により再生して表示させる再生手段と、上記再生手段によるスライドショー方式での表示中に他のカテゴリへの切換えの指示を受け付ける切換指示手段と、上記切換指示手段で切換えの指示を受け付けた他のカテゴリに対応する画像データを用い、上記表示部でのスライドショー方式の表示を継続して実行させる再生制御手段とを具備したことを特徴とする。
【００９５】
請求項３記載の発明は、上記請求項１または２記載の発明において、上記属性情報は、画像データが上記記憶媒体中で属するフォルダの情報であり、上記カテゴリ設定手段は、各画像データが有するフォルダの情報に基づいて複数のカテゴリを設定することを特徴とする。
【００９６】
請求項４記載の発明は、上記請求項１または２記載の発明において、上記属性情報は、画像データが有するメータデータ中の撮影シーンプログラム情報であり、上記カテゴリ設定手段は、各画像データが有する撮影シーンプログラム情報に基づいて複数のカテゴリを設定することを特徴とする。
【００９７】
請求項５記載の発明は、上記請求項１または２記載の発明において、上記カテゴリ設定手段は、当該カテゴリに含まれる画像数と再生開始番号を含むリスト情報を作成し、上記再生手段により、上記カテゴリ設定手段で設定したカテゴリに対応する画像データをスライドショー方式で再生して表示させている際、上記切換指示手段により他のカテゴリへ切換えた後に、上記特定したカテゴリに再度切換えた際は、上記再生手段は上記リスト情報を参照して、上記開始番号に対応する画像データをスライドショー方式での再生を再開させることを特徴とする。
【００９８】
請求項６記載の発明は、上記請求項１または２記載の発明において、上記記憶媒体は複数の記憶デバイスから構成され、上記属性情報は、画像データが記憶されている記憶デバイスの情報であり、上記カテゴリ設定手段は、各画像データが記憶されている記憶デバイスの情報に基づいて複数のカテゴリを設定することを特徴とする。
【００９９】
請求項７記載の発明は、上記請求項１乃至６いずれか記載の発明において、上記再生手段は、再生を行なう画面中を第１の方向に沿って移動するように連続して複数の画像データをスライドショー方式で再生して表示させ、上記切換指示手段は、上記第１の方向と交差する第２の方向に従った操作で他のカテゴリへの切換えの指示を受け付けることを特徴とする。
【０１００】
請求項８記載の発明は、上記請求項１乃至６いずれか記載の発明において、上記再生手段は、再生を行なう画面に対する第１の方向に従った操作がなされた場合にその時点のカテゴリ内で再生して表示する画像データの送り及び戻しの少なくとも一方を行ない、上記切換指示手段は、上記第１の方向と交差する第２の方向に沿った操作で他のカテゴリへの切換えの指示を受け付けることを特徴とする。
【０１０１】
請求項９記載の発明は、上記請求項７または８記載の発明において、上記再生を行なう画面と一体化されたタッチ入力部をさらに具備し、上記第１及び第２の方向に従った操作は、上記画面に対する上記タッチ入力部でのフリック操作であることを特徴とする。
【０１０２】
請求項１０記載の発明は、上記請求項１乃至９いずれか記載の発明において、上記再生手段は、スライドショー方式で上記画面全面に画像データを再生して表示させ、上記再生制御手段は、切換指示手段での切換えの候補となる他のカテゴリに対応する画像データを、それまでのカテゴリに対応する画像データ中に嵌め込んで双方のスライドショー方式の表示を実行させることを特徴とする。
【０１０３】
請求項１１記載の発明は、画像再生装置が内蔵したコンピュータが、記憶媒体に記憶された複数の画像データに対し、各画像データに複数のカテゴリを設定するカテゴリ設定工程と、上記カテゴリ設定工程で設定したカテゴリ中の任意の１つに対応する画像データをスライドショー方式で上記表示部により再生して表示させる再生工程と、上記再生工程によるスライドショー方式での表示中に他のカテゴリへの切換えの指示を受け付ける切換指示工程と、上記切換指示工程で切換えの指示を受け付けた他のカテゴリに対応する画像データを用い、上記表示部でスライドショー方式の表示を継続して実行させる再生制御工程とを実行することを特徴とする。
【０１０４】
請求項１２記載の発明は、表示部と画像データを複数記憶した記憶媒体とを備えた装置での画像表示方法であって、上記記憶媒体に記憶された複数の画像データに関し、各画像データが有する属性情報に基づいて複数のカテゴリを設定するカテゴリ設定工程と、上記カテゴリ設定工程で設定したカテゴリ中の任意の１つに対応する画像データをスライドショー方式で上記表示部により再生して表示させる再生工程と、上記再生工程によるスライドショー方式での表示中に他のカテゴリへの切換えの指示を受け付ける切換指示工程と、上記切換指示工程で切換えの指示を受け付けた他のカテゴリに対応する画像データを用い、上記表示部でスライドショー方式の表示を継続して実行させる再生制御工程とを有したことを特徴とする。
【０１０５】
請求項１３記載の発明は、コンピュータを、記憶媒体に記憶された複数の画像データに対して複数のカテゴリを設定するカテゴリ設定手段、上記カテゴリ設定手段で設定したカテゴリ中の任意の１つに対応する画像データをスライドショー方式で再生して表示させる再生手段、上記再生手段によるスライドショー方式での表示中に他のカテゴリへの切換えの指示を受け付ける切換指示手段、及び上記切換指示手段で切換えの指示を受け付けた他のカテゴリに対応する画像データを用い、上記再生手段でのスライドショー方式の表示を継続して実行させる再生制御手段として機能させることを特徴とする。
【０１０６】
請求項１４記載の発明は、表示部と画像データを複数記憶した記憶媒体とを備えた装置が内蔵したコンピュータが実行するプログラムであって、上記コンピュータを、上記記憶媒体に記憶された複数の画像データに関し、各画像データが有する属性情報に基づいて複数のカテゴリを設定するカテゴリ設定手段、上記カテゴリ設定手段で設定したカテゴリ中の任意の１つに対応する画像データをスライドショー方式で上記表示部により再生して表示させる再生手段、上記再生手段によるスライドショー方式での表示中に他のカテゴリへの切換えの指示を受け付ける切換指示手段、及び上記切換指示手段で切換えの指示を受け付けた他のカテゴリに対応する画像データを用い、上記表示部でスライドショー方式の表示を継続して実行させる再生制御手段として機能させることを特徴とする。
【０１０７】
請求項１５記載の発明は、画像データを複数記憶した記憶媒体を備えた第１の装置、及びこの第１の装置と無線接続され、表示部を備えた第２の装置を含む画像表示システムであって、上記第１の装置は、上記記憶媒体に記憶された複数の画像データに関し、各画像データが有する属性情報に基づいて複数のカテゴリを設定するカテゴリ設定手段と、上記カテゴリ設定手段で設定したカテゴリ中の任意の１つに対応する画像データをスライドショー方式で上記第２の装置に送信し、上記表示部で再生して表示させる送信手段と、上記第２の装置でスライドショー方式での表示中に他のカテゴリへの切換えの指示を受け付ける切換指示手段と、上記切換指示手段で切換えの指示を受け付けた他のカテゴリに対応する画像データを用い、上記送信手段で上記第２の装置に送信してスライドショー方式の表示を継続して実行させる送信制御手段とをさらに備えることを特徴とする。
【０１０８】
請求項１６記載の発明は、上記請求項１５記載の発明において、上記第２の装置は、表示部と一体化されたタッチ入力部をさらに備えた、腕に装着可能なリスト端末であり、上記切換指示手段は、上記第２の装置でのタッチ入力部によるフリック操作を他のカテゴリへの切換えの指示として受け付けることを特徴とする。
【符号の説明】
【０１０９】
１０…スマートフォン、１０Ａ…表示入力部、２０…リスト端末、２０Ａ…表示入力部、３１…ＣＰＵ、３２…プログラムメモリ、３３…ワークメモリ、３４…画像メモリ、３５…撮像制御部、３６…表示制御部、３７…入力制御部、３８…通信インタフェース（Ｉ／Ｆ）、３９…ブルートゥースインタフェース（Ｉ／Ｆ）、４０…外部デバイスインタフェース（Ｉ／Ｆ）、４１…撮像部、４２…表示部、４３…タッチパネル部、４４〜４６…アンテナ、４７…マイクロＵＳＢ端子、４８…メモリカードスロット、Ｎ…ネットワーク、ＳＢ…バスライン。
【図１】
2014239329.tif 000003
【図２】
2014239329.tif 000004
【図３】
2014239329.tif 000005
【図４】
2014239329.tif 000006
【図５】
2014239329.tif 000007
【図６】
2014239329.tif 000008
【図７】
2014239329.tif 000009
【図８】
2014239329.tif 000010
【図９】
2014239329.tif 000011
【図１０】
2014239329.tif 000012
【図１１】
2014239329.tif 000013
【図１２】
2014239329.tif 000014
【図１３】
2014239329.tif 000015
【図１４】
2014239329.tif 000016